(57)【要約】      （修正有）【課題】留守番電話機能による親機の録音メッセージの再生状況を子機側に表示することのできるコードレス電話機であって、子機側のピクト表示の表示態様によりメッセージの有無、未再生のメッセージの有無を容易に識別できるように表示する。【解決手段】コードレス電話機は親機と子機とから構成され、親機の録音手段に用件メッセージを録音し、親機または子機における再生操作により用件メッセージを再生する。親機は録音手段に録音された用件メッセージ録音の有無、未再生の用件メッセージの有無に応じて異なるデータを子機に送信する制御回路を備え、子機は用件メッセージに関する状態を表示するためのピクト表示要素を持つ表示手段と、ピクト表示要素の表示態様を制御する制御回路とを備える。子機は親機から送信されたデータに基づいてピクト表示要素の表示態様を異なる表示態様で表示する。【選択図】図６
2006135639.tif 000002
【特許請求の範囲】
【請求項１】
親機と子機とから構成され、親機に設けられた録音手段に用件メッセージを録音し、親機または子機における再生操作により前記用件メッセージを再生する機能を有するコードレス電話機において、
前記親機は、録音手段に録音された用件メッセージ録音の有無、未再生の用件メッセージの有無に応じて異なるデータを子機に送信する制御回路を備え、
前記子機は、用件メッセージに関する状態を表示するためのピクト表示要素を持つ表示手段と、該ピクト表示要素の表示態様を制御する制御回路とを備え、
前記親機から送信されたデータに基づいて、前記ピクト表示要素の表示態様を異なる表示態様で表示することを特徴とするコードレス電話機。
【請求項２】
前記異なる表示態様は、ピクト表示要素を点灯または消灯する表示態様であることを特徴とする請求項１に記載のコードレス電話機。
【請求項３】
前記異なる表示態様は、ピクト表示要素を点灯または消灯または点滅する表示態様であることを特徴とする請求項１に記載のコードレス電話機。
【請求項４】
前記ピクト表示要素は、カセットテープを表す図形であることを特徴とする請求項２または請求項３に記載のコードレス電話機。
【請求項５】
前記ピクト表示要素は、ＬＥＤ表示素子であることを特徴とする請求項２または請求項３に記載のコードレス電話機。
【請求項６】
親機と子機とから構成され、親機に設けられた録音手段に用件メッセージを録音し、親機または子機における再生操作により前記用件メッセージを再生する機能を有するコードレス電話機において、
前記親機は、録音手段に録音された用件メッセージ録音の有無、未再生の用件メッセージの有無に応じて異なるデータを子機に送信する制御回路を備え、
前記子機は、用件メッセージに関する状態を表示するためのピクト表示要素を持つ表示手段と、該ピクト表示要素の表示態様を制御する制御回路とを備え、前記親機から、前記親機に録音されている用件メッセージが再生されたことを示す信号を受信すると、前記制御回路は前記ピクト表示を消灯にし、一方、未再生用件メッセージが存在することを示す信号を受信すると、前記制御回路は前記ピクト表示を点灯することを特徴とするコードレス電話機。
【発明の詳細な説明】
【技術分野】
【０００１】
本発明は、コードレス電話機における子機側の表示機能に関するものであり、特に、留守番電話機能による親機の録音メッセージの再生状況を子機側に表示することのできるコードレス電話機であって、子機側のピクト表示要素の表示態様により親機側録音メッセージの有無、再生、未再生を識別できるようにしたコードレス電話機に関するものである。
【背景技術】
【０００２】
近年、家庭などにおける固定電話機として親機と無線で接続できる子機とから構成されるコードレス電話機が普及している。また、留守中に着信があった場合に電話機に設けた小型磁気テープカセットなどの記録媒体にメッセージを録音しておき、任意の時点で利用者が録音されたメッセージを再生して用件を聞くことができる、いわゆる留守番電話機能を持った電話機が一般的になってきている。この留守番電話機能は、前述のコードレス電話機にも搭載されており、親機または子機から親機に録音されているメーセージを再生して用件を聞くことができるようにされている。
【０００３】
通常、留守番電話機能により親機に録音されたメッセージの有無、録音メッセージの件数などは音声もしくは電話機の表示部に表示され、親機に録音されているメッセージを再生する際には、再生キーなどを操作して親機に録音されているメッセージを順次、あるいは、選択して再生する。再生すべきメッセージをランダムに選択できるか否かはメッセージを録音する記録媒体の構成による。一般的にメッセージの記録に使用される記録媒体はエンドレスに録音再生を行う磁気テープカセットが多く用いられ、この場合の再生は逐次的になる。ランダムアクセスの可能なＩＣメモリなどが記録媒体として用いられる場合には特定のメッセージを選択して再生することができる。
【０００４】
コードレス電話機においては、親機に録音されたメッセージを子機を用いて再生する場合もあることから、子機において録音メッセージの有無、録音メッセージの件数を容易に確認できる構成であることが好ましい。このようなコードレス電話機としては、例えば、下記の特許文献１（特開平６−１３３０２７号公報）に開示された留守番電話機能付きコードレス電話機が知られている。
【０００５】
上記特許文献１に開示された留守番電話機能付きコードレス電話機は、録音された用件メッセージの再生時に、それぞれの用件メッセージの録音日時を子機側で予め確認することのできる留守番電話機能付きコードレス電話機であり、電話回線に接続される親機と、この親機とは無線回線により接続される子機とを備えた留守番電話機能を有するコードレス電話機であって、親機に、留守番電話機能によって録音された用件メッセージの録音日時を記憶するタイムスタンプ記憶回路と、このタイムスタンプ記憶回路に記憶された日時データを読み出して子機に送信する送信手段（データ符号化回路、変調回路、増幅回路、アンテナ等）とを設け、子機に、送信手段より送信されてくる日時データを受信する受信手段と、受信した日時データを表示する表示手段とを設けて構成したものである。
【０００６】
また、下記の特許文献２（特開平６−３０１０８号公報）に開示された無線電話装置も知られている。この電話機は、無駄に無線周波数資源を利用することなく、子機側において確実に留守番機能による録音状況を知ることのできる無線電話装置であり、子機からの要求により親機の再生／録音装置に録音されている用件件数および録音時間を子機の液晶表示器に視覚的に表示するように構成したものである。
【特許文献１】特開平６−１３３０２７号公報（図５、段落［００３４］〜［００３６］）
【特許文献２】特開平６−３０１０８号公報（図３、段落［００３７］）
【発明の開示】
【発明が解決しようとする課題】
【０００７】
ところで、最近の電話機は小型化が進み、表示部の画面もそれに従って小さな画面になってきており、いわゆる「ピクト」表示といわれる表示方法が採用されている。「ピクト」表示とは、一定の画面領域を有する表示画面の一部に、特定の意味付けをした図形、マークをピクト表示要素として点灯し、利用者にその表示の意味を認識させるものである。このようなピクト表示要素の他の例はＬＥＤランプを点灯させる態様であり、これも「ピクト」表示方法の１態様である。従って、このような子機の表示部を利用して留守番電話機能による録音メッセージに関する表示を行う必要が生じている。
【０００８】
しかしながら、上記特許文献１、特許文献２に開示されたコードレス電話機においては、何れも、子機側の表示部に親機に録音された各メッセージの録音時間や録音日時などを表示するものであり、必然的に子機側に大きな表示画面を必要とし、子機を小型化する場合の制約条件になるという問題点があった。
【０００９】
本願の発明者は、前記の問題点を解消すべく種々検討を重ねた結果、「ピクト」表示方式の表示機能を有する子機において、その点灯、点滅、消灯など表示態様を異ならせることによって親機に録音されたメッセージの有無、再生、未再生の状態を識別できるように表示することによって上記問題点を解消し得ることに想到し本発明を完成するに至ったものである。
【００１０】
すなわち、本発明は、前記の問題点を解消することを課題とし、留守番電話機能による親機の録音メッセージの再生状況を子機側に表示することのできるコードレス電話機であって、子機側のピクト表示要素の表示態様により親機側に録音されたメッセージの有無、未再生メッセージの有無を識別できるようにしたコードレス電話機を提供することを目的とする。
【課題を解決するための手段】
【００１１】
前記課題を解決するために、本願の請求項１にかかる発明は、親機と子機とから構成され、親機に設けられた録音手段に用件メッセージを録音し、親機または子機における再生操作により前記用件メッセージを再生する機能を有するコードレス電話機において、
前記親機は、録音手段に録音された用件メッセージ録音の有無、未再生の用件メッセージの有無に応じて異なるデータを子機に送信する制御回路を備え、
前記子機は、用件メッセージに関する状態を表示するためのピクト表示要素を持つ表示手段と、該ピクト表示要素の表示態様を制御する制御回路とを備え、前記親機から送信されたデータに基づいて、前記ピクト表示要素の表示態様を異なる表示態様で表示することを特徴とする。
【００１２】
また、本願の請求項２に係る発明は、請求項１にかかるコードレス電話機において、異なる表示態様は、ピクト表示要素を点灯または消灯する表示態様であることを特徴とする。
【００１３】
また、本願の請求項３に係る発明は、請求項１にかかるコードレス電話機において、異なる表示態様は、ピクト表示要素を点灯または消灯または点滅する表示態様であることを特徴とする。
【００１４】
また、本願の請求項４に係る発明は、請求項２または請求項３にかかるコードレス電話機において、ピクト表示要素は、カセットテープを表す図形であることを特徴とする。
【００１５】
また、本願の請求項５に係る発明は、請求項２または請求項３にかかるコードレス電話機において、ピクト表示要素は、ＬＥＤ表示素子であることを特徴とする。
【００１６】
また、本願の請求項６に係る発明は、  前記子機は、用件メッセージに関する状態を表示するためのピクト表示要素を持つ表示手段と、該ピクト表示要素の表示態様を制御する制御回路とを備え、前記親機から、前記親機に録音されている用件メッセージが再生されたことを示す信号を受信すると、前記制御回路は前記ピクト表示を消灯にし、一方、未再生用件メッセージが存在することを示す信号を受信すると、前記制御回路は前記ピクト表示を点灯することを特徴とするコードレス電話機。
【発明の効果】
【００１７】
請求項１にかかる発明においては、親機は、録音手段に録音された用件メッセージ録音の有無、未再生の用件メッセージの有無に応じて異なるデータを子機に送信する制御回路を備え、子機は、用件メッセージに関する状態を表示するためのピクト表示要素を持つ表示手段と、該ピクト表示要素の表示態様を制御する制御回路とを備え、親機から送信されたデータに基づいて、ピクト表示要素の表示態様を異なる表示態様で表示する。従って、ユーザは子機側においてもピクト表示要素の表示態様を観察することにより容易に親機に録音された用件メッセージの状態を知ることができるようになる。
【００１８】
また、請求項２または請求項３にかかる発明においては、請求項１にかかる発明において、異なる表示態様は、ピクト表示要素を点灯または消灯する表示態様、または、ピクト表示要素を点灯または消灯または点滅する表示態様である。従って、ユーザは子機側においてもピクト表示要素の表示態様を観察することにより容易に親機に録音された用件メッセージの状態を知ることができるようになる。
【００１９】
また、請求項４または請求項５にかかる発明においては、請求項２または請求項３にかかる発明において、ピクト表示要素は、カセットテープを表す図形、または、ピクト表示要素は、ＬＥＤ表示素子である。従って、ユーザは子機側においても用件メッセージの状態を示すピクト表示要素を容易に識別できるようになり、その表示態様を観察することにより容易に親機に録音された用件メッセージの状態を知ることができるようになる。
【００２０】
また、請求項６にかかる発明においては、子機ユーザが、わざわざ親機が載置されている位置まで行かなくとも、子機の表示部に表示されているピクトを見るだけで、親機に未再生用件メッセージが記憶されているか確認することができる。又、用件メッセージが再生されていればピクトを消灯し、未再生用件メッセージがあればピクトを点灯する為、未再生用件メッセージがあるか否かを容易に知ることができる。
【発明を実施するための最良の形態】
【００２１】
以下、本発明の具体例を実施例及び図面を用いて詳細に説明する。図１は、本発明の実施例にかかるコードレス電話機の外観を示す斜視図、図２は、図１における親機の構成を示すブロック図、図３は、図１における子機の構成を示すブロック図である。図４は、子機の表示部に表示される表示画面を示す画面構成図であり、図４（ａ）は子機が待機中の表示画面、図４（ｂ）は子機が通話中の表示画面をそれぞれ示す画面構成図である。図５は、本発明の実施例にかかるコードレス電話機の親機の動作手順を示すフローチャートであり、図５（ａ）は用件メッセージの録音動作手順、図５（ｂ）は用件メッセージの再生動作手順を示すフローチャートである。図６は、本発明の実施例にかかるコードレス電話機の子機の用件メッセージ再生動作手順を示すフローチャートである。
【実施例】
【００２２】
本発明の実施例にかかるコードレス電話機は、図１に示すように親機１と子機２とが無線で接続された構成となっており、子機２から親機１を介して通話の受信、発信が行えるようになっている。親機１は、留守番電話機能をお有しており、不在時に留守番電話機能を能動化しておくと、着信があった場合に発信者に用件を録音するようメッセージを返し、発信者が通話した用件メッセージ（本明細書において、用件メッセージ、録音メッセージ、メッセージとも称する）を録音することができる。用件メッセージの有無は、親機１、子機２に表示され、ユーザは後刻、親機１または子機２を用いて親機１に録音された用件メッセージを再生することができる。
【００２３】
図２は親機１の要部構成をブロック図である。図２において、１１は着信検出回路で、電話回線Ｌに接続され、着信信号をパルス信号に波形整形して出力するものである。１２は発呼者番号検出回路であり、電話局より電話回線を介して発呼者の電話番号（発呼者番号）を検出する。検出する電話番号は市外局番と市内局番と加入者番号からなり、必ず市外局番を含んでいる。１３はネットワーク回路であり、電話回線に接続され回線の解放・閉結を行う。１４はダイヤル発信回路であり、後述の制御回路２３が指定するダイヤル番号を発信する。
【００２４】
１５はハンドセットであり、スピーカ１６とマイクロホン１７を有している。１８は受信回路であり、アンテナ１９を介して子機２からの信号を受信する。２０は送信回路であり、ネットワーク回路１４の出力信号をアンテナ１９を介して子機２へ発信する。２１はＰＬＬ回路であり、受信回路１８と送信回路２０の送受信周波数を変える。２２は切替回路であり、ネットワーク回路１３への接続をハンドセット１５側あるいは受信回路１８／送信回路２０側に切替える。
【００２５】
２３はマイクロプロセッサからなる制御回路であり、各部動作を制御するプログラムを記憶したＲＯＭ２４に基づき各部を制御する。尚、ＲＯＭ２４には、制御回路２３が通話時間の計時、通話料金の算出を行えるプログラムも書き込まれている。２５はＲＡＭであり、制御回路２３の動作に必要な情報を記憶する。２６はベルであり、着信時に呼出音を出力する。２７は緑色と赤色のバックライトを切り替え可能な液晶の表示手段であり、電話番号等を表示する。２８は入力手段であり、電話番号入力を行うテンキー２８１及び通話時間、通話料金の表示をするか否かを選択する選択キー２８２を有する。２９はハンドセット１５のオンフック、オフフックを検出するスイッチである。
【００２６】
３０は録音手段であり留守番電話機能が働いている場合に発信者の用件メッセージを録音するものである。録音手段３０の制御は、制御回路２３に蓄積されプログラムによって行われる。すなわち、ユーザが不在になる際に留守番電話機能を能動化（一般的には留守番電話機能キーの操作によって行われる）すると、制御回路２３は、着信があった場合に「ただいま留守にしております。合図音の後にご用件をお願いします」のようなメッセージを返し、発信者がこれに従って通話した用件メッセージを録音手段３０に録音することができる。用件メッセージの有無は、親機１、子機２に表示され、ユーザは後刻、親機１または子機２を用いて親機１に録音された用件メッセージを再生することができる。
【００２７】
図３は、子機２の要部構成を示すブロック図である。図３において、３１は受信回路であり、アンテナ３２を介して親機１からの信号を受信する。３３は送信回路であり、入力信号をアンテナ３２を介して親機１へ発信する。３４はＰＬＬ回路であり、受信回路３１と送信回路３３の送受信周波数を変える。３５はスピーカであり、増幅回路３６で増幅された受信回路３１の電気信号を音声に変換する。３７はマイクロホンであり、音声を電気
信号に変換する。３８は増幅回路であり、マイクロホン３７の出力を増幅して送信回路３３に出力する。
【００２８】
３９はマイクロプロセッサからなる制御回路であり、各部動作を制御するプログラムを記憶したＲＯＭ４０に基づき各部を制御する。４１はＲＡＭであり、制御回路３９の動作に必要な情報を記憶する。４２はベルであり、着信時に呼出音を出力する。４３は緑色と赤色のバックライトを切替え可能な液晶の表示手段であり、電話番号、通話時間、通話料金等を表示する。４４は入力手段であり、通話を開始するための通話キー４４１、通話を終了するための切キー４４２、ダイヤル番号を入力するためのテンキー４４３を有する。また、表示手段４３には、親機１の録音手段３０に記録された用件メッセージの有無、その再生の有無が後述のような処理手順で表示される。この処理手順は、制御回路３９に蓄積されたプログラム制御により実行される。
【００２９】
子機２の表示手段４３は子機２自体が小型であり、図４に示すように比較的小さな表示画面しか持っていない。従って、図４（ａ）に示す待機中の表示画面、図４（ｂ）に示す通話中の表示画面のように限られた表示スペースしか持っていない。すなわち、子機２が待機中である場合には図４（ａ）に示すように、子機番号と日付け、時間が主たる表示項目であり、子機２が通話中である場合には通話時間と相手方電話番号が主たる表示項目である。
【００３０】
その他の状態情報（親機１や子機２の状態を示す表示）はピクト表示といわれる、特定の意味付けを持った図形、マークを点灯、点滅、消灯（明るく表示、明暗交互に表示、暗く表示）のようにその表示態様を変化させてユーザに情報を伝える構成をとっている。なお、このピクト表示要素としては、上記のような図形、マークなどのピクト表示要素による他、本発明においては特定の位置に特定の意味付けを持ったＬＥＤなどの小さなランプをピクト表示要素として設け、このランプを点灯、消灯させる表示態様も含むものである。
【００３１】
本実施例においては、図４（ａ）に示すピクト表示要素５０が親機１における用件メッセージの有無、未再生の用件メッセージの有無を表すために用いられる。このピクト表示要素５０は、図４（ａ）おいては、その意味付けが理解し易いようにカセットテープをかたどった図形としている。そして、本実施例においては、親機１における録音手段３０の用件メーセッジの状態により子機２の制御回路３９は、以下の表示態様１〜３の何れかのようにピクト表示要素５０の表示態様を異ならせる。
【００３２】
表示態様１：親機１の録音手段３０に録音された用件メッセージが未再生であれば、子機２のピクト表示要素５０を点灯、再生済みであれば消灯する。
【００３３】
表示態様２：親機１の録音手段３０に再生済みの用件メッセージが記録されていればピクト表示要素５０を点滅、親機１の録音手段３０に未再生の用件メッセージが記録されていればピクト表示要素５０を点灯、親機１の録音手段３０に用件メッセージが記録されていなければピクト表示要素５０を消灯する。
【００３４】
表示態様３：親機１の録音手段３０に再生済みの用件メッセージが記録されていればピクト表示要素５０を点灯、親機１の録音手段３０に未再生の用件メッセージが記録されていればピクト表示要素５０を点滅、親機１の録音手段３０に用件メッセージが記録されていなければピクト表示要素５０を消灯する。
【００３５】
子機２においてこのような制御ができるように、親機１の制御回路２３は、録音手段３０に用件メッセージを録音した際にこれを示すデータＡを、また、用件メッセージの再生の際に、録音手段３０に未再生の用件メッセージが残っているか否かを確認し、未再生の用件メッセージがないことを示すデータＢを、更に、用件メッセージが全て消去された際にはデータＣを子機２に送信する。そして子機２は、親機１から送信されるデータＡ、データＢ、データＣを受信して上記のようにピクト表示要素５０の表示態様を制御する。
【００３６】
一方、親機１の表示手段２７には、用件メッセージの状態を示す表示要素として用件メッセージ用ＬＥＤ（図示せず、以下単にＬＥＤという）が設けられており、以下の表示態様の何れかのように用件メッセージ用ＬＥＤの表示態様を異ならせる。
【００３７】
表示態様１：親機１の録音手段３０に用件メッセージが録音されたらＬＥＤを点滅、録音手段３０に録音された用件メッセージに未再生のメッセージがあればＬＥＤを点灯させ、録音手段３０に録音された用件メッセージの全てが再生済みであればＬＥＤを消灯する。
【００３８】
表示態様２：親機１の録音手段３０に用件メッセージが録音されたらＬＥＤを点灯、録音手段３０に録音された用件メッセージに未再生のメッセージがあればＬＥＤを点滅させ、録音手段３０に録音された用件メッセージの全てが再生済みであればＬＥＤを消灯する。
【００３９】
以下、図５、図６のフローチャートに基づいて本実施例にかかるコードレス電話機の動作手順を説明する。図５は、本発明の実施例にかかるコードレス電話機の親機１の動作手順を示すフローチャートであり、図５（ａ）は用件メッセージの録音動作手順、図５（ｂ）は用件メッセージの再生動作手順を示すフローチャートである。図６は、本発明の実施例にかかるコードレス電話機の子機の用件メッセージ再生動作手順を示すフローチャートである。
【００４０】
親機１が留守番電話機能のモードになっている場合、図５（ａ）に示すようにステップＳ１０で着信がなければ何の処理もせず終了し、着信があると、ステップＳ１１でリンガ音が鳴動し、ステップＳ１２でリンガ音の鳴動が所定回数あったかを判断し、所定回数に達していなければステップＳ１１に戻る。リンガ音が所定回数に達したら着信と判断してステップＳ１３で「ただいま留守にしております。合図音の後にご用件をお願いします」などの応答メッセージを発信者に送信する。応答メッセージに応じて発信者が用件を話すとステップＳ１４で、録音手段３０に用件メッセージを録音し、ステップＳ１５で回線断にならなければステップＳ１４に戻り、メッセージの録音を継続する。回線断であれば通話終了であり、親機１の用件メッセージ用ＬＥＤを点滅表示（前記親機の表示態様１の場合）し、ステップＳ１７で子機２にデータＡを送信して処理を終了する。
【００４１】
録音手段３０に録音された用件メッセージに対して、親機１または子機２から再生操作が行われた場合、親機１は図５（ｂ）に示すように、ステップＳ２０で録音手段３０に用件メッセージが録音されているかを判断する。用件メッセージが録音されていなければそのまま処理を終了し、用件メッセージが録音されていればステップＳ２１に進み用件メッセージの再生操作が行われたかを判断する。再生操作が行われていなければステップＳ２３に進み、再生操作が行われていればステップＳ２２で録音手段３０に録音されている１件目の用件メッセージを再生してステップＳ２３に進む。
【００４２】
次に、ステップＳ２３の処理において、録音手段３０に未再生の用件メッセージが録音されているか否かを判断し、未再生の用件メッセージが録音されていなければステップＳ２４で親機１の用件メッセージ用ＬＥＤを点灯表示（前記親機の表示態様１の場合）し、ステップＳ２５の処理において子機２にデータＢを送信してステップ２６の処理に進む。ステップＳ２３の処理において録音手段３０に未再生の用件メッセージが録音されていればステップＳ２６の処理にスキップする。
【００４３】
ステップＳ２６の処理においては録音手段３０に録音されている用件メッセージの消去操作が行われたかを判断する。ステップＳ２６で用件メッセージの消去操作が行われていなければそのまま処理を終了する。ステップＳ２６で用件メッセージの消去操作が行われていればステップＳ２７の処理において親機１の用件メッセージ用ＬＥＤを消灯表示（前記親機の表示態様１の場合）する。そして、ステップＳ２８の処理において用件メッセージを消去し、子機２にデータＣを送信して処理を終了する。
【００４４】
録音手段３０に複数件の用件メッセージが録音されている場合、上記ステップＳ２０〜ステップＳ２９の一連の処理がメッセージの１件毎に行われる。
【００４５】
親機１から上記の処理によってデータＡ〜データＣを受信すると子機２は、図６の手順によりピクト表示要素５０の表示態様を制御する。すなわち、ステップＳ３０の処理において親機１からデータＡを受信したか判断する。ステップＳ３０の処理においてデータＡを受信していなければ、ステップＳ３２の処理にスキップし、データＡを受信していればステップＳ３１で子機２のピクト表示要素５０の表示態様を点滅表示（前記子機の表示態様２の場合）としステップＳ３２に進む。
【００４６】
次に、ステップＳ３２の処理において親機１からデータＢを受信したか判断する。ステップＳ３２の処理においてデータＢを受信していなければ、ステップＳ３４の処理にスキップし、データＢを受信していればステップＳ３３で子機２のピクト表示要素５０の表示態様を点灯表示（前記子機の表示態様２の場合）し、ステップＳ３４に進む。ステップＳ３４の処理において親機１からデータＣを受信したか判断する。ステップＳ３４の処理においてデータＣを受信していなければそのまま処理を終了し、データＣを受信していればステップＳ３５で子機２のピクト表示要素５０の表示態様を消灯表示（前記子機の表示態様２の場合）として処理を終了する。
【００４７】
子機２におけるステップＳ３０〜ステップＳ３５の手順は、子機２が待機状態にある間に一定の周期で行ってもよく、親機１に着信があった場合、あるいは、録音手段３０に記憶された用件メッセージに対する再生操作があった場合に起動されるように構成しても良い。
【００４８】
尚、上記データＡ〜Ｃは、コードレス電話機の親子間で使用される制御チャンネルを用いても良いし、通話チャンネルを用いても良い。しかし、通話チャンネルを使用する場合には、データ信号が音声としてスピーカから出力されるのを避ける為に、親機又は子機でミュート回路を設け、データ信号にミュートをかけてスピーカから出力する必要があるだろう。
【００４９】
以上、詳細に説明したように、本発明にかかるコードレス電話機によれば、留守番電話機能により親機側の録音手段に記録された用件メッセージの録音、再生の状況を子機側のピクト表示要素の表示態様を異ならせて表示する構成としたことにより、子機側においてもユーザに録音、再生の状態をわかり易く表示することができるようになる。
【図面の簡単な説明】
【００５０】
【図１】本発明のコードレス電話機の外観を示す斜視図である。
【図２】本発明のコードレス電話機における親機のブロック図である。
【図３】本発明のコードレス電話機よおける子機のブロック図である。
【図４】子機の表示部に表示される表示画面を示す画面構成図であり、図４（ａ）は子機が待機中の表示画面、図４（ｂ）は子機が通話中の表示画面をそれぞれ示す画面構成図である。
【図５】本発明の実施例にかかるコードレス電話機の親機の動作手順を示すフローチャートであり、図５（ａ）は用件メッセージの録音動作手順、図５（ｂ）は用件メッセージの再生動作手順を示すフローチャートである。
【図６】本発明の実施例にかかるコードレス電話機の子機の用件メッセージ再生動作手順を示すフローチャートである。
【符号の説明】
【００５１】
１・・・・・親機
２・・・・・子機
２３・・・・制御回路（親機）
３０・・・・録音手段
３９・・・・制御回路（子機）
４３・・・・表示手段
５０・・・・ピクト表示要素
【図１】
2006135639.tif 000003
【図２】
2006135639.tif 000004
【図３】
2006135639.tif 000005
【図４】
2006135639.tif 000006
【図５】
2006135639.tif 000007
【図６】
2006135639.tif 000008